(57)【特許請求の範囲】
【請求項１】
水洗トイレの便器に液剤を射出するのに用いられる液剤射出器具であって、
液剤が貯められる液剤貯槽と、
射出分の所定量の液剤が貯められる射出液槽と、
上記射出液槽を、上記液剤貯槽から該射出液槽への液剤の注入が可能となる、該液剤貯槽と該射出液槽との連通構造が構成される注入位置と、該射出液槽から外部への液剤の射出が可能となる、該射出液槽と外部との連通構造が構成される射出位置と、の間を可動に案内する案内手段と、
上記射出液槽が空状態であるときに、該射出液槽を注入位置に位置付けるように付勢する付勢手段と、
フラッシュ時の水流を動力源として上記付勢手段に抗して上記射出液槽を射出位置に位置付ける動力を該射出液槽に付与する液槽動力付与手段と、
上記射出液槽が射出位置に位置付けられたときに、該射出液槽内の液剤を加圧して外部に射出させる液加圧手段と、
を備えた液剤射出器具。
【請求項２】
上記液剤貯槽が注入位置以外に位置しているときに、上記液剤貯槽における該射出液槽との連通構造を構成する部分からの液剤の漏出を阻止する漏出阻止手段をさらに備えた請求項１に記載の液剤射出器具。
【請求項３】
上記液剤貯槽から上記射出液槽に所定量の液剤が注入されたときに、該液剤貯槽と該射出液槽との連通構造を遮断する連通遮断手段をさらに備えた請求項１に記載の液剤射出器具。
【請求項４】
上記案内手段によって上記射出液槽が案内される注入位置及び射出位置が上下位置関係にあり、
上記連通遮断手段は、上記液剤貯槽から上記射出液槽に所定量の液剤が注入されたときに、その自重により該射出液槽が上記付勢手段に抗して下方に下がる機構により構成されている請求項３に記載の液剤射出器具。
【請求項５】
上記液剤貯槽と上記射出液槽との連通構造は、該液剤貯槽に形成された液供給孔と該射出液槽に形成された注入孔とが重なることにより構成される請求項１に記載の液剤射出器具。
【請求項６】
上記案内手段は筒状部材で構成されていると共に、上記射出液槽は該案内手段の筒状部材の内部に長さ方向に移動可能に設けられており、
上記射出液槽と外部との連通構造は、該射出液槽に形成された注出孔と上記案内手段の筒状部材に形成された射出孔とが重なることにより構成される請求項１に記載の液剤射出器具。
【請求項７】
上記液槽動力付与手段は、便器内の水封部に設けられてフラッシュ時に水流に沿った推進力を受ける錘部材と、該錘部材と上記射出液槽とを連結する線部材と、により構成されている請求項１に記載の液剤射出器具。
【請求項８】
上記射出液槽は、上方に開口した液槽本体と、該液槽本体に内嵌め状に設けられた蓋部材と、を有しており、
上記液加圧手段は、上記蓋部材を上記液槽本体の底に向かって移動させる機構により構成されている請求項１に記載の液剤射出器具。
【請求項９】
上記蓋部材を上記液槽本体の底に向かって移動させる動力が上記液槽動力付与手段により付与されるように構成されている請求項８に記載の液剤射出器具。
【請求項１０】
上記液加圧手段は、フラッシュ時の水流を動力源とした動力により上記射出液槽内の液剤を加圧するように構成されている請求項１に記載の液剤射出器具。
【請求項１１】
便器の開口縁に取付可能なユニット状に構成されている請求項１に記載の液剤射出器具。
【発明の詳細な説明】
【技術分野】
【０００１】
本発明は、水洗トイレの便器に液剤を射出するのに用いられる液剤射出器具に関する。
【背景技術】
【０００２】
水洗トイレの便器に付設された水洗用のタンクには、タンクに補充する洗浄水を利用する手洗い部が設けられたものがある。このようなタイプのタンクでは、液状、固形状又はジェル状の洗浄用の薬剤を容器に入れたオンタンク式トイレ用クリーナーを手洗い部の排出孔、つまり、タンクへの流入孔の部分に設置することにより、タンクに流入する洗浄水を薬剤に接触させて洗浄水に薬剤を溶出させ、それによってタンク内の洗浄水に予め薬剤を混合しておくことができる。
【０００３】
また、手洗い部が設けられていない水洗用のタンクの場合は、薬剤を水溶性の高分子化合物などで固めて錠剤化したものを、タンク内に沈めて洗浄水に薬剤を徐々に溶出させる方法の他に、タンク内に吊り下げることで、液面の上下動により一定の薬剤を吐出させる方法が知られている。これはインタンク式トイレ用クリーナーと呼ばれている。インタンク式トイレ用クリーナーは、定量性が不規則であることや、配管が詰まるなどの問題が指摘されている。
【０００４】
ところが、昨今、便器メーカーが販売する水洗トイレの便器として、水洗用のタンクが付設されていないものが増加している。このようなタイプのタンクでは、基本的に、上記のようにして洗浄水に予め薬剤を混合しておくことができない。
【０００５】
また、局部洗浄機能付便座の中にはタンクの水を利用しているものがある。このようなタイプの便器を備え付けている場合は、タンク内の水が、直接肌に触れることを考えると、タンク内の洗浄水にトイレ用クリーナー用の薬剤を添加することは、両方の用途を考慮した上で開発された場合を除き、使用することは好ましくない。
【０００６】
従って、これらのタイプのタンクでは、オンタンク式トイレ用クリーナーやインタンク式トイレ用クリーナーを使用することはできない。
【０００７】
一方、欧米、欧州などにおいては、便器の開口縁に取り付けるタイプのトイレ用クリーナーが市販されている。このタイプのトイレ用クリーナーは、便器内におけるフラッシュ時に洗浄水が流れる位置に設けられ、洗浄水を液状、固形状又はジェル状の洗浄用の薬剤に接触させて洗浄水に薬剤を溶出させるものである。但し、このタイプのトイレ用クリーナーでは、薬剤が水の流れに沿って溶出するだけなので、トイレ用クリーナーから水の通り道に当たる部分と水封部内とにしか薬剤が行き渡らない。
【０００８】
また、特許文献１には、便器の縁から吊り下げるための懸吊手段を備えているホルダーと、活性物質用の容器であって、ホルダーに取り外し可能に接続されるものと、便器の縁から吊り下げられたときに、水洗しつつある水の流路内に位置させられるべく、ホルダー内に配置されている多孔性素材であって、活性物質と連通しているものとを具備した洗浄・フレッシュニング装置であって、ホルダーが容器の放出開口への接続用の接続ニップルを備えており、もって、便器の縁から吊り下げられると、放出開口が下方に向けられ、且つ、ホルダーが広げられた懸吊手段の幅から便器のシェルの厚さを引いたものに実質的に相当する長さを有する突出部を備えたものが開示されている。
【０００９】
特許文献２には、活性物質のための槽と、複数のトイレケア作用を有する装置を便器のリムから懸垂する懸垂手段とを備え、それによって、各水洗洗浄動作によって、活性物質を便器内の水洗洗浄水に分配する、複数のトイレケア作用を有する装置であって、槽に、かかる活性物質のための少なくとも２つのコンパートメントが設けられたものが開示されている。
【００１０】
特許文献３には、便器ケア作用を有している装置であって、活性液体用の少なくとも１つの区画室を有しているリザーバと、液体収集エレメントと、締着手段とが設けられており、液体収集エレメントは、使用中、少なくとも1つの区画室の内容物との恒常的な連通状態になり、締着手段は、装置の作動状態において液体収集エレメントが便器洗浄水の路内に位置させられるような態様で、装置を便器に締着するためのものであり、液体収集エレメントは、プレートから成っており、このプレートは、洗浄水流に面する面上に液体収集手段を設けられていると同時に、プレートの洗浄水流から離れる方向に面する面も、液体収集手段であって、プレートに設けられている毛管チャンネルを介しての洗浄水流に面する面の液体収集手段との連通状態にあるものが設けられたものが開示されている。
【００１１】
特許文献４には、液状の薬剤を貯留するとともに当該薬剤を導出する導出孔を有する薬剤貯留部と、前記導出孔を開閉する開閉手段と、フラッシュによる水を導入し一定量の水を保持することができるとともに排出する排出口を有する貯水部と、前記排出口から排出されたものを拡散させながら供給する供給部とを備えるとともに、水洗トイレのリム部に配置される水洗トイレ用薬剤供給具であって、前記開閉手段が、貯水部に所定量以上の水を保持したときに導出孔を開き、貯水部の水と薬剤とを混合させるものが開示されている。
【特許文献１】特開２０００−３１４１６９号公報
【特許文献２】特表２００４−５２０４９９号公報
【特許文献３】特表２００５−５１５３２３号公報
【特許文献４】特開２００５−２９０８６７号公報
【発明の開示】
【発明が解決しようとする課題】
【００１２】
本出願の目的は、フラッシュ時に液剤を射出させることができる液剤射出器具を提供することである。
【課題を解決するための手段】
【００１３】
本発明は、水洗トイレの便器に液剤を射出するのに用いられる液剤射出器具であって、
液剤が貯められる液剤貯槽と、
射出分の所定量の液剤が貯められる射出液槽と、
上記射出液槽を、上記液剤貯槽から該射出液槽への液剤の注入が可能となる、該液剤貯槽と該射出液槽との連通構造が構成される注入位置と、該射出液槽から外部への液剤の射出が可能となる、該射出液槽と外部との連通構造が構成される射出位置と、の間を可動に案内する案内手段と、
上記射出液槽が空状態であるときに、該射出液槽を注入位置に位置付けるように付勢する付勢手段と、
フラッシュ時の水流を動力源として上記付勢手段に抗して上記射出液槽を射出位置に位置付ける動力を該射出液槽に付与する液槽動力付与手段と、
上記射出液槽が射出位置に位置付けられたときに、該射出液槽内の液剤を加圧して外部に射出させる液加圧手段と、
を備える。
【発明の効果】
【００１４】
本発明によれば、注入位置において射出液槽に液剤貯槽から射出分の所定量の液剤が注入され、そして、フラッシュ時には、液槽動力付与手段により射出液槽が射出位置に位置付けられると共に、液加圧手段により射出液槽内の液剤が加圧され、それによって液剤を外部に射出させることができる。
【発明を実施するための最良の形態】
【００１５】
以下、実施形態を図面に基づいて詳細に説明する。
【００１６】
図１は、本実施形態の液剤射出器具１０を水洗トイレの洋式の便器３０に取り付けた状態を示す。
【００１７】
この液剤射出器具１０は、便器３０の側方後部の開口縁に取り付けて用いられるユニット状のものであり、便器３０内縁に設けられる器具本体１１とその器具本体１１を便器３０に取り付けるための取付部１２とで構成されている。
【００１８】
図２及び３は、器具本体１１を示す。
【００１９】
器具本体１１は、液剤貯槽１３と筒状案内部材１４とを有し、それらによって外形が形成されている。
【００２０】
液剤貯槽１３は、例えば、樹脂等により横長の直方体形状に形成されており、液状の薬剤２０が貯蔵される。好ましくは、液剤貯槽１３の容量は５０〜２００ｍｌである。液剤貯槽１３の上面には、リフィル用投入口１３ａが形成されていると共に、そのリフィル用投入口１３ａは、着脱可能なキャップ１３ｂで封じられている。液剤貯槽１３の一方の端面の下部には、液供給孔１３ｃが形成されている。なお、キャップ１３ｂは、液剤貯槽１３の液剤２０を液供給孔１３ｃから後述の射出液槽１５に送り出すために、構造上、空気流通性を有するものであってもよい。
【００２１】
筒状案内部材１４は、例えば、樹脂等により縦長の断面方形の筒形状であって、一端が封じられて他端が開口した形状に形成されており、下向きに開口すると共に上下方向に延びるように液剤貯槽１３の液供給孔１３ｃが形成された側の一端面に一体に設けられている。筒状案内部材１４の上面には、液剤貯槽１３に接触する辺に沿ってスリット状開口１４ａが形成されている。筒状案内部材１４の開口端には、内側に突出したストッパー（図示せず）が設けられている。筒状案内部材１４の下部には、液剤貯槽１３と反対側に突出した筒状の射出部１４ｂが設けられており、筒状案内部材１４の内側には、その射出部１４ｂに通じる射出孔１４ｃが形成されている。また、筒状案内部材１４の内側には、液剤貯槽１３の液供給孔１３ｃが露出するように開口が形成されている。そして、筒状案内部材１４の内部には、上下方向に摺動可能であると共に内嵌め状に射出液槽１５が設けられている。この筒状案内部材１４が射出液槽１５を長さ方向、つまり、上下方向に案内する案内手段を構成している。
【００２２】
射出液槽１５は、例えば、樹脂等により筒状案内部材１４に嵌入可能な立方体形状に形成されており、上方に開口した液槽本体１５ａとそれに内嵌め状に設けられた蓋部材１５ｂとを有する。射出液槽１５の容量は、好ましくは０．５〜５ｍｌである。
【００２３】
液槽本体１５ａの開口端には、内側に突出した蓋ストッパー（図示せず）が設けられている。液槽本体１５ａの液剤貯槽１３側の側面上部には、注入孔１５ｃが形成されている一方、その対向側の側面下部には、注出孔１５ｄが形成されている。液槽本体１５ａの液剤貯槽１３側の側面には、その側面に連続して上方に延びるように形成された仕切板１６が設けられている。液槽本体１５ａの底面の略中央には、線材挿通孔１５ｅが形成されている。
【００２４】
液槽本体１５ａの注入孔１５ｃは、射出液槽１５が実質的に空であるか、設計の上で特定の充填量以下になった状態のときに、液剤貯槽１３の液供給孔１３ｃと重なって、液剤貯槽１３と射出液槽１５との連通構造が構成される位置に形成されており、また、注出孔１５ｄは、射出液槽１５が筒状案内部材１４の下端のストッパーに係合したときに、筒状案内部材１４の射出孔１４ｃと重なって、射出液槽１５と外部との連通構造が構成される位置に形成されている。
【００２５】
筒状案内部材１４の上面内側の略中央には、バネ部材１７の一端が結合しており、液槽本体１５ａに内嵌め状に設けられた蓋部材１５ｂの上面の略中央には、そのバネ部材１７の他端が結合しており、蓋部材１５ｂが筒状案内部材１４の上面から吊り下げられた状態に設けられている。なお、バネ部材１７は、例えば、金属製のコイルバネ或いはゴムなどの伸縮性のある弾性体で構成されている。
【００２６】
筒状案内部材１４の開口を通って延びるように線材１９が設けられており、その線材１９の筒状案内部材１４から外側に延びた一端には、錘部材１８が結合している。蓋部材１５ｂの下面の略中央には、その線材１９の筒状案内部材１４の内側に延びて液槽本体１５ａの線材挿通孔１５ｅに挿通された他端が結合している。線材１９には、蓋部材１５ｂが液槽本体１５ａの蓋ストッパーに係合するように位置付けられたときに、液槽本体１５ａの底面から線材挿通孔１５ｅを封じるようにゴム製のシール部材１９ａが外嵌め状に設けられている。なお、錘部材１８は、例えば、ステンレスのような高耐食金属製の塊状体や陶器等で構成されている。線材１９は、例えば、ステンレス線のような高耐食金属線、ナイロン繊維やアラミド繊維のようなポリマー繊維等で構成されている。
【００２７】
取付部１２は、各々、器具本体１１から側方に延びるように設けられた一対の取付部材で構成されている。各取付部材は、便器３０の開口縁に係合可能なように下向きに開口したＵ字状に形成されている。
【００２８】
次に、この液剤射出器具１０による液剤射出動作について図１〜８を用いて説明する。
【００２９】
この液剤射出器具１０は、図１に示すように、取付部１２が便器３０の開口縁に係合されて、器具本体１１が便器３０内縁に沿うように、従って、筒状案内部材１４の射出部１４ｂが便器３０開口の接線方向を向くように位置付けられ、また、筒状案内部材１４から便器３０の水封部３１に向かって線材１９が延びて錘部材１８が水中に浸かった状態となるように設置される。
【００３０】
この設置状態では、図２に示すように、液剤貯槽１３に液剤２０が未充填の場合には射出液槽１５も空状態であり、その場合、射出液槽１５は、蓋部材１５ｂが液槽本体１５ａの蓋ストッパーに係合して内部容積を形成し、筒状案内部材１４内において、バネ部材１７により上から吊られた状態に位置付けられる。このバネ部材１７が射出液槽１５を上向きに付勢する付勢手段を構成している。このとき、液剤貯槽１３の液供給孔１３ｃと液槽本体１５ａの注入孔１５ｃとが重なることにより、液剤貯槽１３と射出液槽１５との連通構造が構成される。また、仕切板１６がスリット状開口１４ａから上方に突出した状態となる。
【００３１】
液剤貯槽１３のキャップ１３ｂが外されてリフィル用投入口１３ａから、例えば、洗浄剤、消毒剤、芳香剤等、或いは、これらの混合物の液剤２０が液剤貯槽１３に充填されて貯められると、液剤貯槽１３と射出液槽１５との連通構造により、液剤貯槽１３から射出液槽１５に液剤２０が注入される（以下、液剤貯槽１３との連通構造が構成される射出液槽１５のこの位置を「注入位置Ｐ１」という。）。このとき、液槽本体１５ａは、注出孔１５ｄが筒状案内部材１４の内壁によって封じられ、また、線材挿通孔１５ｅがシール部材１９ａによって封じられる。
【００３２】
射出液槽１５に射出分の所定量の液剤２０が注入されて貯められると、図４に示すように、液剤２０が入った射出液槽１５は、その自重により射出液槽１５がバネ部材１７に抗して下方に移動して停止する（以下、射出液槽１５のこの位置を「待機位置Ｐ２」という。）。自重により射出液槽１５がバネ部材１７に抗して下方に下がるこの機構が、液剤貯槽１３から射出液槽１５に所定量の液剤２０が注入されたときに、液剤貯槽１３と射出液槽１５との連通構造を遮断する連通遮断手段を構成している。このとき、液剤貯槽１３は、液供給孔１３ｃが射出液槽１５の側面乃至仕切板１６によって封じられ、それによって液剤貯槽１３と射出液槽１５との連通構造が遮断される。この射出液槽１５の側面乃至仕切板１６が、液剤貯槽１５が注入位置Ｐ１以外に位置しているときに、液供給孔１３ｃからの液剤２０の漏出を阻止する漏出阻止手段を構成している。液槽本体１５ａは、注入孔１５ｃ及び注出孔１５ｄが筒状案内部材１４の内壁によって封じられ、また、線材挿通孔１５ｅがシール部材１９ａによって封じられる。
【００３３】
そして、フラッシュすると、水流が動力源となって、水封部３１に設けられた錘部材１８が水流に沿った推進力を受けて流されて移動し、それに伴って線材１９を介して蓋部材１５ｂが下方に引っ張り力を受けるが、射出液槽１５が密封されているので、図５に示すように、内部の液剤２０が加圧された状態でバネ部材１７に抗して射出液槽１５が筒状案内部材１４の下端のストッパーに係合するまで下方に移動する。これらの錘部材１８及び線材１９が、フラッシュ時の水流を動力源としてバネ部材１７に抗して射出液槽１５を射出位置Ｐ３に位置付ける動力を射出液槽１５に付与する液槽動力付与手段を構成している。このとき、液槽本体１５ａの注出孔１５ｄと筒状案内部材１４の射出孔１４ｃとが重なることにより、射出液槽１５と外部の連通構造が構成される。液剤貯槽１３は、液供給孔１３ｃが仕切板１６によって封じられる。この仕切板１６が、液剤貯槽１５が注入位置Ｐ１以外に位置しているときに、液供給孔１３ｃからの液剤２０の漏出を阻止する漏出阻止手段を構成している。液槽本体１５ａは、注入孔１５ｃが筒状案内部材１４の内壁によって封じられ、また、線材挿通孔１５ｅがシール部材１９ａによって封じられる。
【００３４】
射出液槽１５がストッパーに係合する位置に位置付けられるのに続いて、さらに錘部材１８が流されて移動すると、図６に示すように、液槽本体１５ａが固定された状態で蓋部材１５ｂが液槽本体１５ａの底面に向かって移動し、それによって液槽本体１５ａ内の液剤２０が加圧されて筒状案内部材１４の射出部１４ｂを介して外部に液滴状に射出される（以下、射出液槽１５と外部との連通構造が構成される射出液槽１５のこの位置を「射出位置Ｐ３」という。）。この蓋部材１５ｂが液槽本体１５ａの底面に向かって移動することにより液槽本体１５ａ内の液剤２０を加圧する機構が、射出液槽１５が射出位置Ｐ３に位置付けられたときに、射出液槽１５内の液剤２０を加圧して外部に射出させる液加圧手段を構成している。このとき、液剤貯槽１３は、液供給孔１３ｃが仕切板１６によって封じられる。液槽本体１５ａは、注入孔１５ｃが筒状案内部材１４の内壁によって封じられる。なお、液槽本体１５ａの線材挿通孔１５ｅは封じられないが、孔径が小さく、しかも、未封時間が短時間であるので、そこからの漏れは無視できる。
【００３５】
液剤２０が射出されてフラッシュの水流が弱くなると、バネ部材１７の弾性復帰によって、蓋部材１５ｂが引っ張られて上方に移動するのに続いて液槽本体１５ａの蓋ストッパに係合して内部容積を形成した後は、図７に示すように、液槽本体１５ａと共に実質的に空状態の射出液槽１５を構成して上方に移動し、筒状案内部材１４内の注入位置Ｐ１に位置付けられる。
【００３６】
以下、同様に、図８に示すように、射出液槽１５が注入位置Ｐ１に位置付けられると、液剤貯槽１３から射出液槽１５に液剤２０が注入され、射出分の所定量の液剤２０が注入されると、射出液槽１５が待機位置Ｐ２に位置付けられ、そして、フラッシュ時に、射出液槽１５が射出位置Ｐ３に位置付けられて、射出液槽１５から外部に射出液が射出される動作が繰り返される。なお、液剤貯槽１３の液剤２０が無くなったときには、リフィル用投入口１３ａから液剤２０が補充される。
【００３７】
以上のような構成の液剤射出器具１０によれば、注入位置Ｐ１において射出液槽１５に液剤貯槽１３から射出分の所定量の液剤２０が注入され、そして、フラッシュ時には、射出液槽１５が射出位置Ｐ３に位置付けられると共に、射出液槽１５内の液剤２０が加圧され、それによって液剤を外部に射出させることができる。
【００３８】
また、液剤射出器具１０が便器３０の側方後部の開口縁に取り付けられているので、使用時には便座に隠れて見栄えを損なうことがなく、しかも邪魔にならない。
【００３９】
また、液剤射出器具１０の設置の仕方によって、例えば、便器３０内における周方向であったり、斜め内向き方向であったり、液封部に向かう方向であったり等、種々の方向に液剤２０を便器３０全体に広がるように射出させることができる。
【００４０】
なお、上記実施形態では、蓋部材１５ｂが液槽本体１５ａの底面に向かって移動する機構が液加圧手段を構成するものとしたが、特にこれに限定されるものではなく、容量可変の伸縮性容器の射出液槽１５の伸縮機構が液加圧手段を構成するものであってもよい。
【００４１】
また、上記実施形態では、液剤貯槽１３の液供給孔１３ｃと射出液槽１５の注入孔１５ｃとが重なることにより液剤貯槽１３と射出液槽１５との連通構造が構成され、射出液槽１５の注出孔１５ｄと筒状案内部材１４の射出孔１４ｃとが重なることにより射出液槽１５と外部との連通構造が構成されるものとしたが、特にこれに限定されるものではなく、注入位置Ｐ１において、液剤貯槽１３と射出液槽１５との連通構造を構成する注入弁、及び／又は、射出位置Ｐ３において、射出液槽１５と外部との連通構造を構成する射出弁を有するものであってもよい。
【００４２】
上記実施形態では、液剤２０が液滴状に射出される構成としたが、特にこれに限定されるものではなく、液剤２０を霧状に噴霧射出する構成であってもよい。
【産業上の利用可能性】
【００４３】
本発明は、水洗トイレの便器に液剤を射出するのに用いられる液剤射出器具について有用である。
【図面の簡単な説明】
【００４４】
【図１】液剤射出器具の設置状態を示す斜視図である。
【図２】空状態の液剤射出器具を示す斜視図である。
【図３】液剤射出器具の分解斜視図である。
【図４】射出液槽が待機位置に位置付けられた状態の液剤射出器具を示す斜視図である。
【図５】射出液槽が射出位置に位置付けられた状態の液剤射出器具を示す斜視図である。
【図６】液剤を射出している状態の液剤射出器具を示す斜視図である。
【図７】空状態の射出液槽が注入位置に戻った状態の液剤射出器具を示す斜視図である。
【図８】注入位置において液剤貯槽から射出液槽に液剤が注入された状態の液剤射出器具を示す斜視図である。
【符号の説明】
【００４５】
１０  液剤射出器具
１３  液剤貯槽
１３ｃ  液供給孔
１４  筒状案内部材（案内手段）
１４ｃ  射出孔
１５  射出液槽
１５ａ  液槽本体
１５ｂ  蓋部材
１５ｃ  注入孔
１５ｄ  注出孔
１６  仕切板（漏出阻止手段）
１７  バネ部材（付勢手段）
１８  錘部材
１９  線材
２０  液剤
３０  便器
３１  水封部
【図１】
0004815253.tif 000002
【図２】
0004815253.tif 000003
【図３】
0004815253.tif 000004
【図４】
0004815253.tif 000005
【図５】
0004815253.tif 000006
【図６】
0004815253.tif 000007
【図７】
0004815253.tif 000008
【図８】
0004815253.tif 000009